(57)【特許請求の範囲】
【請求項１】
患者眼に照明光を照射する照明系と、
前記患者眼からの前記照明光の戻り光を撮像素子に導く受光系と、
表示部と、前記表示部の表示面側に配置された接眼レンズとを含む接眼系と、
前記撮像素子からの出力を処理する処理部と、
前記撮像素子からの反復的出力に基づく動画像である観察像を前記表示部に表示させる第１表示制御と、前記処理部により生成された処理画像を前記表示部に表示させる第２表示制御とを実行する表示制御部と
を備える眼科用顕微鏡。
【請求項２】
前記受光系は、前記患者眼からの前記照明光の戻り光を左撮像素子及び右撮像素子のそれぞれに導き、
前記接眼系は、
左表示部と前記左表示部の表示面側に配置された左接眼レンズとを含む左接眼系と、
右表示部と前記右表示部の表示面側に配置された右接眼レンズとを含む右接眼系と
を備え、
前記表示制御部は、
前記第１表示制御において、前記左撮像素子からの反復的出力に基づく動画像である左観察像を前記左表示部に表示させる制御と、前記右撮像素子からの反復的出力に基づく動画像である右観察像を前記右表示部に表示させる制御とを同期的に実行し、
前記第２表示制御において、前記左撮像素子からの出力に基づき前記処理部により生成された左処理画像を前記左表示部に表示させる制御と、前記右撮像素子からの出力に基づき前記処理部により生成された右処理画像を前記右表示部に表示させる制御とを同期的に実行する
ことを特徴とする請求項１に記載の眼科用顕微鏡。
【請求項３】
前記受光系は、
左対物レンズを含み、前記患者眼からの前記照明光の戻り光を前記左対物レンズを介して前記左撮像素子に導く左受光系と、
右対物レンズを含み、前記患者眼からの前記照明光の戻り光を前記右対物レンズを介して前記右撮像素子に導く右受光系と
を備え、
前記左対物レンズの光軸と前記右対物レンズの光軸とが非平行に配置されている
ことを特徴とする請求項２に記載の眼科用顕微鏡。
【請求項４】
前記表示制御部は、前記第２表示制御において、前記撮像素子からの反復的出力に基づき前記処理部により生成された動画像を前記表示部に表示させる
ことを特徴とする請求項１〜請求項３のいずれか一項に記載の眼科用顕微鏡。
【請求項５】
操作部を更に備え、
前記表示制御部は、前記操作部を用いた操作に対応して前記第１表示制御と前記第２表示制御とを切り替えて実行する
ことを特徴とする請求項１〜請求項４のいずれか一項に記載の眼科用顕微鏡。
【請求項６】
前記表示制御部は、前記第１表示制御と前記第２表示制御とを並行して実行可能である
ことを特徴とする請求項１〜請求項４のいずれか一項に記載の眼科用顕微鏡。
【請求項７】
操作部を更に備え、
前記表示制御部は、前記第１表示制御を継続的に実行し、
前記操作部を用いて第１操作が行われたときに前記第２表示制御を開始し、かつ、第２操作が行われたときに前記第２表示制御を終了する
ことを特徴とする請求項６に記載の眼科用顕微鏡。
【請求項８】
ＯＣＴ光源からの光を測定光と参照光とに分割し、前記患者眼からの前記測定光の戻り光と前記参照光との干渉光を検出するＯＣＴ系と、
前記干渉光の検出結果を処理してデータを生成するＯＣＴデータ生成部と
を備え、
前記表示制御部は、前記ＯＣＴデータ生成部により生成されたデータを前記表示部に表示させる第３表示制御を実行する
ことを特徴とする請求項１〜請求項７のいずれか一項に記載の眼科用顕微鏡。
【発明の詳細な説明】
【技術分野】
【０００１】
本発明は、眼科用顕微鏡に関する。
【背景技術】
【０００２】
眼科分野では眼を拡大観察するために各種の顕微鏡が使用される。そのような眼科用顕微鏡として、スリットランプ顕微鏡や手術用顕微鏡がある。また、患者眼を撮影するための撮像装置を備えた眼科用顕微鏡もある。更に、患者眼の撮影像を解析して病変部を検出できる装置も提案されている。この画像解析では、コントラスト処理やＲＧＢ分割などが用いられる。また、ウェアラブルデバイスの医療分野への応用が進められており、たとえば、ヘッドアップディスプレイやヘッドマウントディスプレイを利用して撮影像等を提示する技術が提案されている。
【先行技術文献】
【特許文献】
【０００３】
【特許文献１】国際公開第２０１２／１７２９０７号
【特許文献２】特開２０１３−３９１４８号公報
【特許文献３】特許第５１６０９５８号明細書
【特許文献４】特開２０１５−４３９２０号公報
【発明の概要】
【発明が解決しようとする課題】
【０００４】
患者眼の撮影が可能な従来の眼科用顕微鏡は、患者眼からの戻り光を接眼レンズに導く観察系と、この観察系から分岐された戻り光を撮像装置に導く撮影系とを備える。そのため、接眼レンズに導かれる光と、撮像装置に導かれる光の双方に、分岐による光損失が発生してしまう。ヘッドアップディスプレイを利用して撮影像等を提示する場合にも、撮影像等の光束を観察像の光束に合成する部材が必要であるため、同様に光損失が発生してしまう。
【０００５】
また、ヘッドアップディスプレイを利用する場合、観察像は常にユーザに提示され、それによる観察作業を補助するために撮影像等が提示される。そのため、撮影像等のみを確認したい場合であっても、観察像を消すことができない。更に、このような構成では提示画像のコントラストが低下するため、撮影像等を観察しながら手術や診療を行うことは困難である。なお、シャッタ機構を用いれば観察像を消すことは可能であるが、装置の複雑化や大型化、重量の増加といった新たな問題が生じる。
【０００６】
本発明の目的は、観察像及び撮影像の明瞭かつ選択的な提示を簡易な構成で実現可能な眼科用顕微鏡を提供することにある。
【課題を解決するための手段】
【０００７】
実施形態の眼科用顕微鏡は、照明系と、受光系と、接眼系と、処理部と、表示制御部とを備える。照明系は、患者眼に照明光を照射する。受光系は、患者眼からの照明光の戻り光を撮像素子に導く。接眼系は、表示部と、表示部の表示面側に配置された接眼レンズとを含む。処理部は、撮像素子からの出力を処理する。表示制御部は、撮像素子からの反復的出力に基づく動画像である観察像を表示部に表示させる第１表示制御と、処理部により生成された処理画像を表示部に表示させる第２表示制御とを実行する。
【発明の効果】
【０００８】
実施形態の眼科用顕微鏡によれば、明瞭な観察像と明瞭な撮影像との選択的な提示を簡易な構成で実現することが可能である。
【図面の簡単な説明】
【０００９】
【図１】実施形態に係る眼科用顕微鏡の構成の一例を表す概略図である。
【図２】実施形態に係る眼科用顕微鏡の構成の一例を表す概略図である。
【図３】実施形態に係る眼科用顕微鏡の構成の一例を表す概略図である。
【図４】実施形態に係る眼科用顕微鏡の構成の一例を表す概略図である。
【図５】実施形態に係る眼科用顕微鏡の使用形態の一例を表すフローチャートである。
【図６】実施形態に係る眼科用顕微鏡の使用形態の一例を表すフローチャートである。
【発明を実施するための形態】
【００１０】
本発明に係る眼科用顕微鏡の実施形態の例について、図面を参照しながら詳細に説明する。なお、この明細書で引用された文献の内容や任意の公知技術を、本発明の実施形態に援用できる。
【００１１】
眼科用顕微鏡は、眼科分野における診療や手術において患者眼の拡大像を観察及び撮影するために使用される。観察や撮影の対象部位は、患者眼の任意の部位であってよく、たとえば、前眼部においては角膜や隅角や硝子体や水晶体や毛様体などであってよく、後眼部においては網膜や脈絡膜や硝子体であってよい。また、対象部位は、瞼や眼窩など眼の周辺部位であってもよい。
【００１２】
以下に説明する実施形態の眼科用顕微鏡はグリノー式実体顕微鏡を備えているが、他の実施形態ではガリレオ式実体顕微鏡を備えていてよい。グリノー式実体顕微鏡は、左右の光学系が個別の対物レンズを備えている点や、左右の光軸が非平行である点を特徴とし、立体像を得やすい、設計の自由度が高いといった利点を有する。一方、ガリレオ式実体顕微鏡は、左右の光学系が共通の対物レンズを備えている点や、左右の光軸が平行である点を特徴とし、他の光学系や光学素子を組み合わせ易いといった利点を有する。
【００１３】
また、以下に説明する実施形態の眼科用顕微鏡は、患者眼の拡大像を観察及び撮影する機能に加えて光コヒーレンストモグラフィ（ＯＣＴ）機能を備えているが、他の実施形態ではＯＣＴ機能が設けられていなくてよい。また、ＯＣＴ機能の代わりに又はそれに加えて、眼科分野において使用可能な任意の計測機能、イメージング機能、測定機能、治療機能などが設けられていてよい。
【００１４】
［構成］
実施形態に係る眼科用顕微鏡の構成を図１〜図４に示す。図１〜図３は光学系の構成を示す。図１は後眼部を観察するときの光学系を示し、図２は前眼部を観察するときの光学系を示す。図３は、ＯＣＴ機能を提供するための光学系を示す。図４は処理系の構成を示す。
【００１５】
眼科用顕微鏡１は、照明系１０（１０Ｌ、１０Ｒ）と、受光系２０（２０Ｌ、２０Ｒ）と、接眼系３０（３０Ｌ、３０Ｒ）と、照射系４０と、ＯＣＴ系６０とを備える。後眼部（網膜等）を観察するときには、患者眼Ｅの直前に前置レンズ９０が配置される。なお、図１に示すような非接触の前置レンズ９０の代わりにコンタクトレンズ等を用いることが可能である。また、隅角を観察するときにはコンタクトミラー（三面鏡等）等を用いることができる。
【００１６】
（照明系１０）
照明系１０は、患者眼Ｅに照明光を照射する。図示は省略するが、照明系１０は、照明光を発する光源や、照明野を規定する絞りや、レンズ系などを含む。照明系の構成は、従来の眼科装置（たとえば眼科手術用顕微鏡、スリットランプ顕微鏡等）と同様であってよい。
【００１７】
本実施形態の照明系１０Ｌ及び１０Ｒは、それぞれ受光系２０Ｌ及び２０Ｒと同軸に構成されている。具体的には、観察者の左眼Ｅ０Ｌに提示される像を取得するための左受光系２０Ｌには、たとえばハーフミラーからなるビームスプリッタ１１Ｌが斜設されている。ビームスプリッタ１１Ｌは、左受光系２０Ｌの光路に左照明系１０Ｌの光路を結合している。左照明系１０Ｌから出力された照明光は、ビームスプリッタ１０Ｌにより反射され、左受光系２０Ｌと同軸で患者眼Ｅを照明する。同様に、観察者の右眼Ｅ０Ｒに提示される像を取得するための右受光系２０Ｒには、右受光系２０Ｒの光路に右照明系１０Ｒの光路を結合するビームスプリッタ１１Ｒが斜設されている。
【００１８】
受光系２０Ｌ（２０Ｒ）の光軸に対する照明光の位置を変更可能に構成することができる。この構成は、たとえば、従来の眼科手術用顕微鏡と同様に、ビームスプリッタ１１Ｌ（１１Ｒ）に対する照明光の照射位置を変更するための手段を設けることにより実現される。
【００１９】
本例では、対物レンズ２１Ｌ（２１Ｒ）と患者眼Ｅとの間にビームスプリッタ１１Ｌ（１１Ｒ）が配置されているが、照明光の光路が受光系２０Ｌ（２０Ｒ）に結合される位置は、受光系２０Ｌ（２０Ｒ）の任意の位置でよい。また、照明系と受光系とが非同軸に配置されてもよい。この構成は、スリットランプ顕微鏡や眼科手術用顕微鏡などにおいて適用される。
【００２０】
（受光系２０）
本実施形態では、左右一対の受光系２０Ｌ及び２０Ｒが設けられている。左受光系２０Ｌは、観察者の左眼Ｅ０Ｌに提示される像を取得するための構成を有し、右受光系２０Ｒは、右眼Ｅ０Ｒに提示される像を取得するための構成を有する。左受光系２０Ｌと右受光系２０Ｒは同じ構成を備える。左受光系２０Ｌ（右受光系２０Ｒ）は、対物レンズ２１Ｌ（２１Ｒ）と、結像レンズ２２Ｌ（２２Ｒ）と、撮像素子２３Ｌ（２３Ｒ）とを含む。
【００２１】
なお、結像レンズ２２Ｌ（２２Ｒ）が設けられていない構成を適用することも可能である。本実施形態のように結像レンズ２２Ｌ（２２Ｒ）が設けられている場合、対物レンズ２１Ｌ（２１Ｒ）と結像レンズ２２Ｌ（２２Ｒ）との間をアフォーカルな光路（平行光路）とすることができ、フィルタ等の光学素子を配置することや、光路結合部材を配置して他の光学系からの光路を結合することが容易になる（すなわち、光学的構成の自由度や拡張性が向上される）。
【００２２】
符号ＡＬ１は、左受光系２０Ｌの対物レンズ２１Ｌの光軸（対物光軸）を示し、符号ＡＲ１は、右受光系２０Ｒの対物レンズ２１Ｒの光軸（対物光軸）を示す。受光素子２３Ｌ（２３Ｒ）は、たとえばＣＣＤイメージセンサやＣＭＯＳイメージセンサ等のエリアセンサである。
【００２３】
以上は、患者眼Ｅの後眼部（眼底）を観察するときの受光系２０の構成である（図１）。一方、前眼部を観察するときには、図２に示すように、対物レンズ２１Ｌ（２１Ｒ）に対して患者眼Ｅ側の位置に、フォーカスレンズ２４Ｌ（２４Ｒ）とウェッジプリズム２５Ｌ（２５Ｒ）とが配置される。本例のフォーカスレンズ２４Ｌ（２４Ｒ）は凹レンズであり、対物レンズ２１Ｌ（２１Ｒ）の焦点距離を延長するように作用する。ウェッジプリズム２５Ｌ（２５Ｒ）は、左受光系２０Ｌ（右受光系２０Ｒ）の光路（対物光軸ＡＬ１（ＡＲ１））を所定角度だけ外側に偏向する（符号ＡＬ２及びＡＲ２で示す）。このように、フォーカスレンズ２４Ｌ及びウェッジプリズム２５Ｌが左受光系２０Ｌに配置され、かつ、フォーカスレンズ２４Ｒ及びウェッジプリズム２５Ｒが右受光系２０Ｒに配置されることにより、後眼部観察用の焦点位置Ｆ１から前眼部観察用の焦点位置Ｆ２に切り替えられる。
【００２４】
フォーカスレンズとして凸レンズを用いることが可能である。その場合、フォーカスレンズは、後眼部観察時に光路に配置され、前眼部観察時に光路から退避される。フォーカスレンズの挿入／退避によって焦点距離を切り替える代わりに、たとえば光軸方向に移動可能なフォーカスレンズを設けることにより焦点距離を連続的又は段階的に変更できるように構成することが可能である。
【００２５】
図２に示す例では、ウェッジプリズム２５Ｌ（２５Ｒ）の基底方向は外側である（つまりベースアウト配置である）が、ベースイン配置のウェッジプリズムを用いることができる。その場合、ウェッジプリズムは、後眼部観察時に光路に配置され、前眼部観察時に光路から退避される。ウェッジプリズムの挿入／退避によって光路の方向を切り替える代わりに、プリズム量（及びプリズム方向）が可変なプリズムを設けることにより光路の向きを連続的又は段階的に変更できるように構成することが可能である。
【００２６】
（接眼系３０）
本実施形態では、左右一対の接眼系３０Ｌ及び３０Ｒが設けられている。左接眼系３０Ｌは、左受光系２０Ｌにより取得された患者眼Ｅの像を観察者の左眼Ｅ０Ｌに提示するための構成を有し、右接眼系３０Ｒは、右受光系２０Ｒにより取得された患者眼Ｅの像を右眼Ｅ０Ｒに提示するための構成を有する。左接眼系３０Ｌと右接眼系３０Ｒは同じ構成を備える。左接眼系３０Ｌ（右接眼系３０Ｒ）は、表示部３１Ｌ（３１Ｒ）と、接眼レンズ３２Ｌ（３２Ｒ）とを含む。表示部３１Ｌ（３１Ｒ）は、たとえばＬＣＤ等のフラットパネルディスプレイである。
【００２７】
左接眼系３０Ｌと右接眼系３０Ｒとの間隔を変更することが可能である。それにより、左接眼系３０Ｌと右接眼系３０Ｒとの間隔を観察者の眼幅に応じて調整することができる。また、左接眼系３０Ｌと右接眼系３０Ｒとの相対的向きを変更することが可能である。つまり、左接眼系３０Ｌの光軸と右接眼系３０Ｒの光軸とがなす角度を変更することが可能である。それにより、両眼Ｅ０Ｌ及びＥ０Ｒの輻輳を誘発することができ、観察者による立体視を支援することができる。
【００２８】
（照射系４０）
照射系４０は、ＯＣＴ計測を行うための光（測定光）を、受光系２０の対物光軸（ＡＬ１及びＡＲ１、並びにＡＬ２及びＡＲ２）と異なる方向から患者眼Ｅに照射する。他の実施形態において、照射系は、ＯＣＴのための測定光に加え、他の光を患者眼に照射可能であってよい。その具体例として、レーザ治療のための光（照準光、治療用レーザ光）がある。
【００２９】
照射系４０は、光スキャナ４１と、結像レンズ４２と、リレーレンズ４３と、偏向ミラー４４とを含む。光スキャナ４１にはＯＣＴ部６０からの光が導かれる。
【００３０】
ＯＣＴ部６０からの光（測定光）は、光ファイバ５１により導かれ、そのファイバ端面から出射する。このファイバ端面に臨む位置には、コリメートレンズ５２が配置されている。コリメートレンズ５２によって平行光束とされた測定光は、光スキャナ４１に導かれる。
【００３１】
光スキャナ４１は、２次元光スキャナであり、水平方向（ｘ方向）へ光を偏向するｘスキャナ４１Ｈと、垂直方向（ｙ方向）へ光を偏向するｙスキャナ４１Ｖとを含む。ｘスキャナ４１Ｈ及びｙスキャナ４１Ｖは、それぞれ任意の形態の光スキャナであってよく、たとえばガルバノミラーが使用される。光スキャナ４１は、たとえば、コリメートレンズ５２の射出瞳位置又はその近傍位置に配置される。更に、光スキャナ４１は、たとえば、結像レンズ４２の入射瞳位置又はその近傍位置に配置される。
【００３２】
本例のように２つの１次元光スキャナを組み合わせて２次元光スキャナを構成する場合、２つの１次元光スキャナは所定距離（たとえば１０ｍｍ程度）だけ離れて配置されるので、たとえば、いずれかの１次元光スキャナを上記射出瞳位置及び／又は上記入射瞳位置に配置することができる。
【００３３】
結像レンズ４２は、光スキャナ４１を通過した平行光束（測定光）を一旦結像させる。更に、この測定光を患者眼Ｅ（眼底、角膜等の観察部位）において再結像させるために、この光をリレーレンズ４３によりリレーし、偏向ミラー４４により患者眼Ｅに向けて反射する。
【００３４】
照射系４０により導かれてきた測定光が受光系２０の対物光軸（ＡＬ１及びＡＲ１、並びにＡＬ２及びＡＲ２）と異なる方向から患者眼Ｅに照射されるように、偏向ミラー４４の位置は予め決定されている。本例では、互いの対物光軸が非平行に配置された左受光系２０Ｌと右受光系２０Ｒとの間の位置に偏向ミラー４４が配置されている。このような配置を可能にする要因の一つに、リレーレンズ４３を配置したことによる光学的構成の自由度の向上がある。また、たとえば、水平方向の光スキャナ（本例ではｘスキャナ４１Ｈ）と共役な位置と、対物レンズ２１Ｌ及び２１Ｒとの間の距離を十分に小さく設計することが可能となるため、装置の小型化を図ることができる。
【００３５】
一般に、光スキャナ４１によるスキャン可能範囲（スキャン可能角度）は制限されているので、焦点距離が可変な結像レンズ４２（又は結像レンズ系）を適用することによってスキャン可能範囲を拡大することが可能である。その他にも、スキャン可能範囲を拡大するための任意の構成を適用することが可能である。また、焦点距離（ＯＣＴ計測におけるフォーカス位置）を変更するための手段の例として、コリメートレンズ５２、結像レンズ４２及びリレーレンズ４３のうちのいずれか１つ以上を光軸に沿って移動可能とした構成がある。
【００３６】
（ＯＣＴ部６０）
ＯＣＴ部６０は、ＯＣＴを実行するための干渉光学系を含む。ＯＣＴ部６０の構成の例を図３に示す。図３に示す光学系は、スウェプトソースＯＣＴの例であり、波長掃引型光源（波長可変光源）からの光を測定光と参照光とに分割し、患者眼Ｅからの測定光の戻り光と参照光路を経由した参照光とを干渉させて干渉光を生成し、この干渉光を検出する。干渉光学系による干渉光の検出結果（検出信号）は、干渉光のスペクトルを示す信号であり、制御部１００に送られる。
【００３７】
光源ユニット６１は、一般的なスウェプトソースタイプのＯＣＴ装置と同様に、出射光の波長を走査（掃引）可能な波長掃引型光源を含む。光源ユニット６１は、人眼では視認できない近赤外の波長帯において、出力波長を時間的に変化させる。
【００３８】
光源ユニット６１から出力された光Ｌ０は、光ファイバ６２により偏波コントローラ６３に導かれてその偏光状態が調整され、光ファイバ６４によりファイバカプラ６５に導かれて測定光ＬＳと参照光ＬＲとに分割される。
【００３９】
参照光ＬＲは、光ファイバ６６Ａによりコリメータ６７に導かれて平行光束に変換され、光路長補正部材６８及び分散補償部材６９を経由し、コーナーキューブ７０に導かれる。光路長補正部材６８は、参照光ＬＲの光路長（光学距離）と測定光ＬＳの光路長とを合わせるための遅延手段として作用する。分散補償部材６９は、参照光ＬＲと測定光ＬＳとの間の分散特性を合わせるための分散補償手段として作用する。
【００４０】
コーナーキューブ７０は、参照光ＬＲの進行方向を逆方向に折り返す。コーナーキューブ７０は、参照光ＬＲの入射光路及び出射光路に沿う方向に移動可能とされ、それにより参照光ＬＲの光路の長さが変更される。なお、測定光ＬＳの光路の長さを変更するための手段と、参照光ＬＲの光路の長さを変更するための手段のうちのいずれか一方が設けられていればよい。
【００４１】
コーナーキューブ７０を経由した参照光ＬＲは、分散補償部材６９及び光路長補正部材６８を経由し、コリメータ７１によって平行光束から集束光束に変換されて光ファイバ７２に入射し、偏波コントローラ７３に導かれて参照光ＬＲの偏光状態が調整される。更に、参照光ＬＲは、光ファイバ７４によりアッテネータ７５に導かれて、制御部１００の制御の下で光量が調整される。光量が調整された参照光ＬＲは、光ファイバ７６によりファイバカプラ７７に導かれる。
【００４２】
一方、ファイバカプラ６５により生成された測定光ＬＳは、光ファイバ５１により導かれてファイバ端面から出射され、コリメータレンズ５２により平行光束とされる。平行光束にされた測定光ＬＳは、光スキャナ４１、結像レンズ４２、リレーレンズ４３及び偏向ミラー４４を経由して患者眼Ｅに照射される。測定光ＬＳは、患者眼Ｅの様々な深さ位置において反射・散乱される。患者眼Ｅからの測定光ＬＳの戻り光は、反射光や後方散乱光を含み、往路と同じ経路を逆向きに進行してファイバカプラ６５に導かれ、光ファイバ６６Ｂを経由してファイバカプラ７７に到達する。
【００４３】
ファイバカプラ７７は、光ファイバ６６Ｂを介して入射された測定光ＬＳと、光ファイバ７６を介して入射された参照光ＬＲとを合成して（干渉させて）干渉光を生成する。ファイバカプラ７７は、所定の分岐比（たとえば１：１）でこの干渉光を分割することにより、一対の干渉光ＬＣを生成する。ファイバカプラ７７から出射した一対の干渉光ＬＣは、それぞれ光ファイバ７８Ａ及び７８Ｂにより検出器７９に導かれる。
【００４４】
検出器７９は、たとえば一対の干渉光ＬＣをそれぞれ検出する一対のフォトディテクタを含み、これらによる検出結果の差分を出力するバランスドフォトダイオード（Ｂａｌａｎｃｅｄ  Ｐｈｏｔｏ  Ｄｉｏｄｅ）である。検出器７９は、その検出結果（検出信号）を制御部１００に送る。
【００４５】
本例ではスウェプトソースＯＣＴが適用されているが、他のタイプのＯＣＴ、たとえばスペクトラルドメインＯＣＴを適用することが可能である。
【００４６】
（制御部１００）
制御部１００は、眼科用顕微鏡１の各部の制御を実行する（図４参照）。照明系１０の制御の例として次のものがある：光源の点灯、消灯、光量調整；絞りの調整；スリット照明が可能な場合にはスリット幅の調整。撮像素子２３の制御として、露光調整やゲイン調整や撮影レート調整などがある。
【００４７】
制御部１００は、各種の情報を表示部３１に表示させる。たとえば、制御部１００は、撮像素子２３Ｌにより取得された画像（又はそれを処理して得られた画像やデータ）を表示部３１Ｌに表示させ、かつ、撮像素子２３Ｒにより取得された画像（又はそれを処理して得られた画像やデータ）を表示部３１Ｒに表示させる。
【００４８】
光スキャナ４１の制御は、たとえば、予め設定されたＯＣＴスキャンパターンに応じた複数の位置に測定光ＬＳが照射されるように、測定光ＬＳを順次に偏向するものである。
【００４９】
ＯＣＴ部６０に含まれる制御対象としては、光源ユニット６１、偏波コントローラ６３、コーナーキューブ７０、偏波コントローラ７３、アッテネータ７５、検出器７９などがある。
【００５０】
更に、制御部１００は、各種の機構を制御する。そのような機構としては、ステレオ角変更部２０Ａ、合焦部２４Ａ、光路偏向部２５Ａ、間隔変更部３０Ａ、及び向き変更部３０Ｂが設けられている。
【００５１】
ステレオ角変更部２０Ａは、左受光系２０Ｌと右受光系２０Ｒとを相対的に回転移動する。すなわち、ステレオ角変更部２０Ａは、互いの対物光軸（たとえばＡＬ１とＡＲ１）がなす角度を変更するように左受光系２０Ｌと右受光系２０Ｒとを相対移動させる。この相対移動は、たとえば、左受光系２０Ｌと右受光系２０Ｒとを反対の回転方向に同じ角度だけ移動させるものである。この移動態様においては、互いの対物光軸（たとえばＡＬ１とＡＲ１）がなす角の二等分線の向きは一定である。一方、当該二等分線の向きが変化するように上記相対移動を行うことも可能である。
【００５２】
合焦部２４Ａは、左右のフォーカスレンズ２４Ｌ及び２４Ｒを光路に対して挿入／退避させる。合焦部２４Ａは、左右のフォーカスレンズ２４Ｌ及び２４Ｒを同時に挿入／退避させるように構成されていてよい。他の例において、合焦部２４Ａは、左右のフォーカスレンズ２４Ｌ及び２４Ｒを（同時に）光軸方向に移動させることによって焦点位置を変更するように構成されてよく、或いは、左右のフォーカスレンズ２４Ｌ及び２４Ｒの屈折力を（同時に）変更することによって焦点距離を変更するように構成されてよい。
【００５３】
光路偏向部２５Ａは、左右のウェッジプリズム２５Ｌ及び２５Ｒを光路に対して挿入／退避させる。光路偏向部２５Ａは、左右のウェッジプリズム２５Ｌ及び２５Ｒを同時に挿入／退避させるように構成されていてよい。他の例において、光路偏向部２５Ａは、左右のウェッジプリズム２５Ｌ及び２５Ｒのプリズム量（及びプリズム方向）を（同時に）変更することによって左右の受光系２０Ｌ及び２０Ｒの光路の向きを変更するように構成されてよい。
【００５４】
間隔変更部３０Ａは、左右の接眼系３０Ｌ及び３０Ｒの間隔を変更する。間隔変更部３０Ａは、互いの光軸の相対的向きを変化させずに左右の接眼系３０Ｌ及び３０Ｒを相対的に移動するように構成されてよい。
【００５５】
向き変更部３０Ｂは、左右の接眼系３０Ｌ及び３０Ｒの相対的向きを変更する。向き変更部３０Ｂは、互いの光軸がなす角度を変更するように左接眼系３０Ｌと右接眼系３０Ｒとを相対移動させる。この相対移動は、たとえば、左接眼系３０Ｌと右接眼系３０Ｒとを反対の回転方向に同じ角度だけ移動させるものである。この移動態様においては、互いの光軸がなす角の二等分線の向きは一定である。一方、当該二等分線の向きが変化するように上記相対移動を行うことも可能である。
【００５６】
制御部１００はプロセッサを含む。本明細書において「プロセッサ」は、たとえば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（たとえば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。制御部１００は、たとえば、記憶回路や記憶装置に格納されているプログラムを読み出し実行することで、実施形態に係る機能を実現する。
【００５７】
制御部１００は、眼科用顕微鏡１により取得された画像や、他の装置により生成された情報（画像、電子カルテ情報等）が記憶される記憶装置を備えていてよい。また、制御部１００は、通信部４００を制御することにより、外部の記憶装置に格納されている画像を取得することができる。
【００５８】
（データ処理部２００）
データ処理部２００は、各種のデータ処理を実行する。このデータ処理には、画像を形成する処理や、画像を加工する処理などが含まれる。また、データ処理部２００は、画像や検査結果や測定結果を解析する処理や、被検者に関する情報（電子カルテ情報等）に関する処理を実行可能であってよい。データ処理部２００はプロセッサを含む。データ処理部２００には、倍率変更部２１０と、画像処理部２２０と、ＯＣＴ画像形成部２３０とが含まれる。
【００５９】
（倍率変更部２１０）
倍率変更部２１０は、撮像素子２３により取得された画像を拡大する。この処理は、いわゆるデジタルズーム処理であり、撮像素子２３により取得された画像の一部を切り取る処理と、その部分の拡大画像を作成する処理とを含む。画像の切り取り範囲は、観察者により又は制御部１００により設定される。倍率変更部２１０は、左受光系２０Ｌの撮像素子２３Ｌにより取得された画像（左画像）と、右受光系２０Ｒの撮像素子２３Ｒにより取得された画像（右画像）とに対して、同じ処理を施す。それにより、観察者の左眼Ｅ０Ｌと右眼Ｅ０Ｒとに同じ倍率の画像が提示される。このように、倍率変更部２１０は、撮像素子２３（２３Ｌ、２３Ｒ）からの出力を処理することにより、観察者に提示される画像の表示倍率を変更するよう機能する。
【００６０】
このようなデジタルズーム機能に加えて、いわゆる光学ズーム機能を設けることが可能である。光学ズーム機能は、左右の受光系２０Ｌ及び２０Ｒのそれぞれに変倍レンズ（変倍レンズ系）を設けることにより実現される。具体例として、変倍レンズを（選択的に）光路に対して挿入／退避する構成や、変倍レンズを光軸方向に移動させる構成がある。光学ズーム機能に関する制御は制御部１００によって実行される。
【００６１】
（画像処理部２２０）
画像処理部２２０は、撮像素子２３Ｌ及び２３Ｒから出力された信号を処理する。つまり、画像処理部２２０は、撮像素子２３Ｌ及び２３Ｒにより得られた患者眼Ｅの画像に処理を施す。
【００６２】
画像処理部２２０が実行する処理は任意である。画像処理部２２０は、任意の画像処理や任意の解析処理を実行可能である。たとえば、画像処理部２２０は、画像補正（コントラスト補正、色補正、鮮鋭化等）、特徴検出（特徴抽出）、パターンマッチングなどを実行可能である。また、画像処理部２２０は、カラー画像のＲＧＢ分割や、これにより得られた単色画像（Ｒ画像、Ｇ画像及びＢ画像）の合成処理を行うことができる。
【００６３】
画像処理部２２０に含まれるプロセッサは、眼科用顕微鏡１に予め格納されたアプリケーションソフトウェア又はネットワーク経由で利用可能なアプリケーションソフトウェアを実行することにより、たとえば上記の処理を実行する。
【００６４】
画像処理部２２０が撮像素子２３Ｌ及び２３Ｒからの出力に基づき生成する画像を「処理画像」と呼ぶ。処理画像の例として、画像補正が施された画像（コントラスト強調画像、色補正画像、鮮鋭化画像等）、特徴検出により検出された領域を強調又は抽出して得られた画像、単色画像の合成により得られたレッドフリー画像（Ｇ画像とＢ画像との合成画像）などがある。
【００６５】
本実施形態の受光系２０は、左受光系２０Ｌと右受光系２０Ｒとを備える。左受光系２０Ｌの撮像素子２３Ｌ（左撮像素子）により取得された左画像と、右受光系２０Ｒの撮像素子２３Ｒ（右撮像素子）により取得された右画像とは、別々に画像処理部２２０に入力される。画像処理部２２０は、左画像と右画像とを別々に処理する。このとき、画像処理部２２０は、左画像と右画像とに同一の処理又は異なる処理を施す。左画像及び右画像が動画像である場合、左撮像素子２３Ｌ及び右撮像素子２３Ｒのそれぞれは反復的に信号（映像信号）を出力する。左撮像素子２３Ｌ及び右撮像素子２３Ｒのそれぞれからの反復的出力（その少なくとも一部）は、制御部１００を介して画像処理部２２０に逐次に入力される。画像処理部２２０に逐次に入力される信号は動画像のフレームに相当する。画像処理部２２０は、各フレームに対して処理を施すことができる。或いは、画像処理部２２０は、１以上の代表的なフレームに対して処理を施すことができる。たとえば、画像処理部２２０は、動画像を構成するフレームに間引き処理を適用し、それにより得られた各フレームに対して処理を施すことができる。また、画像処理部２２０は、動画像を構成するフレームから１以上のフレームを選択し、選択された各フレームに対して処理を施すことができる。
【００６６】
（ＯＣＴ画像形成部２３０）
ＯＣＴ画像形成部２３０は、ＯＣＴ部６０の検出器７９により得られた干渉光ＬＣの検出結果に基づいて、患者眼Ｅの画像を形成する。制御部１００は、検出器７９から順次に出力される検出信号をＯＣＴ画像形成部２３０に送る。ＯＣＴ画像形成部２３０は、たとえば一連の波長走査毎に（Ａライン毎に）、検出器７９により得られた検出結果に基づくスペクトル分布にフーリエ変換等を施すことにより、各Ａラインにおける反射強度プロファイルを形成する。更に、ＯＣＴ画像形成部２３０は、各Ａラインプロファイルを画像化することにより画像データを形成する。それにより、Ｂスキャン像（断面像）やボリュームデータ（３次元画像データ）が得られる。
【００６７】
データ処理部２００は、ＯＣＴ画像形成部２３０により形成された画像（ＯＣＴ画像）を解析する機能を備えていてよい。この解析機能としては、網膜厚解析や、正常眼との比較解析などがある。このような解析機能は、公知のアプリケーションソフトウェアを用いて実行される。また、データ処理部２００は、受光系２０により取得された画像を解析する機能を備えていてよい。また、データ処理部２００は、受光系２０により取得された画像の解析とＯＣＴ画像の解析とを組み合わせた解析機能を備えていてもよい。
【００６８】
（ユーザインターフェイス３００）
ユーザインターフェイス（ＵＩ）３００は、観察者等と眼科用顕微鏡１との間で情報のやりとりを行うための機能を備える。ユーザインターフェイス３００は、表示デバイスと操作デバイス（入力デバイス）とを含む。表示デバイスは、表示部３１を含んでよく、それ以外の表示デバイスを含んでもよい。操作デバイスは、各種のハードウェアキー及び／又はソフトウェアキーを含む。操作デバイスの少なくとも一部と表示デバイスの少なくとも一部とを一体的に構成することが可能である。タッチパネルディスプレイはその一例である。
【００６９】
（通信部４００）
通信部４００は、他の装置に情報を送信する処理と、他の装置から送られた情報を受信する処理とを行う。通信部４００は、既定のネットワーク（ＬＡＮ、インターネット等）に準拠した通信デバイスを含んでいてよい。たとえば、通信部４００は、医療機関内に設けられたＬＡＮを介して、電子カルテデータベースや医用画像データベースから情報を取得する。また、外部モニタが設けられている場合、通信部４００は、眼科用顕微鏡１により取得される画像（受光系２０により取得される画像、ＯＣＴ画像等）を、実質的にリアルタイムで外部モニタに送信することができる。
【００７０】
［使用形態］
本実施形態の眼科用顕微鏡の使用形態について説明する。眼科用顕微鏡の使用形態の一例を図５に示す。
【００７１】
（Ｓ１：患者眼の観察を開始する）
ユーザが所定の操作を行うと、制御部１００は、左右の照明系１０Ｌ及び１０Ｒを制御して患者眼Ｅへの照明光の照射を開始させるとともに、左撮像素子２３Ｌにより所定レートで取得される画像（左観察像）を左表示部３１Ｌに所定フレームレートで表示させ、かつ、右撮像素子２３Ｒにより所定レートで取得される画像（右観察像）を右表示部３１Ｒに所定フレームレートで表示させる。このとき、左観察像の表示制御と右観察像の表示制御とは同期されている。ユーザは、左右の接眼系３０Ｌ及び３０Ｒを介して患者眼Ｅをリアルタイムで双眼観察（立体観察）することができる。
【００７２】
ユーザは、所望の観察野が得られるように左右の受光系２０Ｌ及び２０Ｒを操作する。このとき、観察倍率（表示部３１Ｌ及び３１Ｒに表示される観察像の倍率）の調整も行われる。観察倍率は、デジタルズーム（倍率変更部２１０）により変更される。
【００７３】
（Ｓ２：患者眼を撮影する）
ユーザは、患者眼Ｅの所望の部位に観察野を合わせ、所望のタイミングで撮影を指示する操作を行う。この操作は、ユーザインターフェイス３００を用いた所定の操作である。撮影指示操作に対応して左撮像素子２３Ｌ及び右撮像素子２３Ｒにより取得された左右の撮影像は、制御部１００を介して画像処理部２２０に送られる。
【００７４】
（Ｓ３：撮影像を処理する）
画像処理部２２０は、ステップＳ２で取得された左右の撮影像のそれぞれに対し、予め設定された１以上の処理を施す。それにより、左処理画像と右処理画像とが生成される。
【００７５】
（Ｓ４：処理画像を格納する）
制御部１００は、ステップＳ３で生成された左処理画像及び右処理画像を格納する。これら画像は、たとえば、制御部１００に設けられた前述の記憶装置に格納される。
【００７６】
（Ｓ５：ユーザが処理画像の提示を指示する）
この段階では左右の観察像（動画像）が提示されている。ユーザは、所望のタイミングで、処理画像の提示を指示する操作を行う。この操作は、ユーザインターフェイス３００を用いた所定の操作である。
【００７７】
（Ｓ６：観察像の提示を停止し、処理画像を提示する）
制御部１００は、ステップＳ５で行われた操作を受け、ステップＳ４で格納された左処理画像及び右処理画像を記憶装置から読み出す。更に、制御部１００は、左表示部３１Ｌに表示されている左観察像に代えて左処理画像を表示させ、かつ、右表示部３１Ｒに表示されている右観察像に代えて右処理画像を表示させる。それにより、左処理画像と右処理画像とがユーザに提示される。
【００７８】
なお、制御部１００は、記憶装置に格納されている情報（ユーザの指示により提示可能な情報）のリストを左表示部３１Ｌ及び右表示部３１Ｒに表示させることができる（他の表示デバイスにリストを表示させてもよい）。このリストは、たとえば、観察像の外部に表示される。この情報には、処理画像が少なくとも含まれる。更に、この情報は、この段階までに取得されたＯＣＴ画像、過去に取得されたＯＣＴ画像、ＯＣＴ画像に基づく解析データ（層厚分布等）、当該患者の電子カルテ情報などを含んでいてもよい。ユーザは、ユーザインターフェイス３００を用いて、このリストから所望の情報を指定することができる。制御部１００は、指定された情報を記憶装置から読み出して左表示部３１Ｌ及び右表示部３１Ｒに表示させる。この構成によれば、所望の情報を所望のタイミングで提示することができる。
【００７９】
（Ｓ７：ユーザが観察の再開を指示する）
処理画像の確認が完了したら、ユーザは、観察像の提示を指示する操作、つまり観察の再開を指示する操作を行う。この操作は、ユーザインターフェイス３００を用いた所定の操作である。
【００８０】
（Ｓ８：処理画像の提示を終了し、観察像の提示を再開する）
制御部１００は、ステップＳ７で行われた操作を受け、左表示部３１Ｌに表示されている左処理画像に代えて左観察像を表示させ、かつ、右表示部３１Ｒに表示されている右処理画像に代えて右観察像を表示させる。それにより、患者眼Ｅのリアルタイム観察を再開することができる。
【００８１】
（他の使用形態）
図５に示す使用形態では、観察像と処理画像とが互いに排他的に表示される。つまり、観察像と処理画像とが切り替え表示される。これに対し、観察像と処理画像とを並行して表示させることも可能である。このような使用形態の例を図６に示す。ステップＳ１１〜Ｓ１５は、それぞれ、図５のステップＳ１〜Ｓ５と同じ要領で行われる。
【００８２】
（Ｓ１６：観察像とともに処理画像を提示する）
制御部１００は、ステップＳ１５で行われた操作を受け、ステップＳ１４で格納された左処理画像及び右処理画像を記憶装置から読み出す。更に、制御部１００は、左表示部３１Ｌに表示されている左観察像とともに左処理画像を表示させ、かつ、右表示部３１Ｒに表示されている右観察像とともに右処理画像を表示させる。
【００８３】
このとき、観察像に重ねて処理画像を表示することができる。この処理は、たとえば、レイヤ機能を利用して実行される。つまり、第１レイヤに観察像が表示され、第２レイヤに処理画像が表示される。不透明度（アルファ値）は任意に設定され、たとえばユーザにより調整可能とされる。
【００８４】
或いは、観察像と処理画像とを異なる領域に表示させることができる。この場合、観察像の表示サイズと処理画像の表示サイズとが変更可能であってよい。たとえば、観察像に注目したいときには観察像のサイズを拡大し（かつ処理画像のサイズを縮小し）、処理画像に注目したいときには処理画像のサイズを拡大する（かつ観察像のサイズを縮小する）ことができる。
【００８５】
（Ｓ１７：ユーザが処理画像の提示の終了を指示する）
処理画像の確認が完了したら、ユーザは、処理画像の提示の終了を指示する操作、つまり観察の再開を指示する操作を行う。この操作は、ユーザインターフェイス３００を用いた所定の操作である。
【００８６】
（Ｓ１８：患者眼の観察を再開する）
制御部１００は、ステップＳ１７で行われた操作を受け、左表示部３１Ｌに表示されている左処理画像の表示を終了させ、かつ、右表示部３１Ｒに表示されている右処理画像の表示を終了させる。それにより、患者眼Ｅのリアルタイム観察を再開することができる。
【００８７】
［作用・効果］
本実施形態の眼科用顕微鏡の作用及び効果について説明する。
【００８８】
本実施形態の眼科用顕微鏡は、照明系（１０Ｌ、１０Ｒ）と、受光系（２０Ｌ、２０Ｒ）と、接眼系（３０Ｌ、３０Ｒ）と、処理部（画像処理部２２０）と、表示制御部（制御部１００）とを備える。
【００８９】
照明系は、患者眼に照明光を照射する。受光系は、患者眼に照射された照明光の戻り光を撮像素子（２３Ｌ、２３Ｒ）に導く。ここで、撮像素子は、眼科用顕微鏡に接続された外部デバイスであってもよい。接眼系は、表示部（３１Ｌ、３１Ｒ）と、表示部の表示面側に配置された接眼レンズ（３２Ｌ、３２Ｒ）とを含む。処理部は、撮像素子からの出力を処理する。表示制御部は、撮像素子からの反復的出力に基づく動画像である観察像を表示部に表示させる制御（第１表示制御）と、処理部により生成された画像（処理画像）を表示部に表示させる制御（第２表示制御）とを実行する。なお、処理画像は、撮像素子によりキャプチャされた画像（撮影像）を処理して得られた画像、又は撮影像自体であってよい。
【００９０】
実施形態において、受光系（２０Ｌ、２０Ｒ）は、患者眼からの照明光の戻り光を左撮像素子（２３Ｌ）及び右撮像素子（２３Ｒ）のそれぞれに導くよう構成されてよい。また、接眼系は、左接眼系（３１Ｌ）と右接眼系（３０Ｒ）とを備えてよい。左接眼系は、左表示部（３１Ｌ）と、この左表示部の表示面側に配置された左接眼レンズ（３２Ｌ）とを含む。右接眼系は、右表示部（３１Ｒ）と、この右表示部の表示面側に配置された右接眼レンズ（３２Ｒ）とを含む。表示制御部（制御部１００）は、第１表示制御において、左撮像素子（２３Ｌ）からの反復的出力に基づく動画像である左観察像を左表示部（３１Ｌ）に表示させる制御と、右撮像素子（２３Ｒ）からの反復的出力に基づく動画像である右観察像を右表示部（３１Ｒ）に表示させる制御とを同期的に実行する。更に、表示制御部は、第２表示制御において、左撮像素子（２３Ｌ）からの出力に基づき処理部（データ処理部２２０）により生成された左処理画像を左表示部（３１Ｌ）に表示させる制御と、右撮像素子（２３Ｒ）からの出力に基づき処理部により生成された右処理画像を右表示部（３１Ｒ）に表示させる制御とを同期的に実行する。
【００９１】
ここで、「同期的に実行する」とは、２つの制御のタイミングが互いに対応付けられていることを意味する。たとえば、左観察像（又は左処理画像）と右観察像（又は右処理画像）とが実質的に同時に表示されるように、左右の観察像（又は左右の処理画像）の表示タイミングが制御される。
【００９２】
更に、受光系は、左受光系（２０Ｌ）と右受光系（２０Ｒ）とを備えていてよい。左受光系は、左対物レンズ（２１Ｌ）を含み、患者眼からの照明光の戻り光を左対物レンズを介して左撮像素子（２３Ｌ）に導く。右受光系は、右対物レンズ（２１Ｌ）を含み、患者眼からの照明光の戻り光を右対物レンズを介して右撮像素子（２３Ｒ）に導く。更に、左対物レンズ（２１Ｌ）の光軸と右対物レンズ（２１Ｒ）の光軸とは互いに非平行に配置されている。
【００９３】
実施形態において、動画像からなる処理画像をユーザに提示することができる。そのために、表示制御部（制御部１００）は、撮像素子（２３Ｌ、２３Ｒ）からの反復的出力に基づき処理部（画像処理部２２０）により生成された動画像を表示部（３１Ｌ、３１Ｒ）に表示させるように第２表示制御を実行することができる。
【００９４】
実施形態において、観察像と処理画像とを別々に表示することができる。そのために、眼科用顕微鏡は操作部（ユーザインターフェイス３００）を備える。表示制御部（制御部１００）は、操作部を用いた操作に対応して第１表示制御と第２表示制御とを切り替えて実行できるように構成される。図５に記載のフローチャートは、このような構成により実現される使用形態の例を示している。
【００９５】
実施形態において、観察像と処理画像とを並行して表示することができる。たとえば、観察像と処理画像とを並べて又は重ねて表示することができる。そのために、表示制御部（制御部１００）は、第１表示制御と第２表示制御とを並行して実行できるように構成される。
【００９６】
このような並行表示の例として、観察像を常時表示させつつ、ユーザからの指示に応じて処理画像の表示をオン／オフできるように構成することが可能である。そのために、眼科用顕微鏡は操作部（ユーザインターフェイス３００）を備える。表示制御部（制御部１００）は、第１表示制御を継続的に実行する。更に、表示制御部は、操作部を用いて第１操作が行われたときに第２表示制御を開始し、かつ、第２操作が行われたときに第２表示制御を終了するよう動作する。図６に記載のフローチャートは、このような構成により実現される使用形態の例を示している。
【００９７】
実施形態において、ＯＣＴによって得られた患者眼のデータを接眼系を介してユーザに提示することができる。たとえば、患者眼のＯＣＴ画像や解析データを提示することが可能である。また、ＯＣＴに関する設定や条件を接眼系を介してユーザに提示することができる。たとえば、ＯＣＴスキャンの範囲を表す情報を観察像や撮影像に重ねて提示することが可能である。
【００９８】
以上のように、本実施形態に係る眼科用顕微鏡は、観察像と撮影像とを同じ撮像素子を用いて取得するよう構成されており、従来の眼科用顕微鏡のように観察系と撮影系とを分岐させる部材を備えていないため、分岐による光損失が無く、提示画像のコントラストが劣化することもない。また、観察像と撮影像（処理画像）とを切り替えて提示したり、それらをともに提示したりすることができる。そのための制御は、接眼系に対する表示制御だけであるため、装置の複雑化や大型化、重量の増加といった問題を発生させることはない。このように、本実施形態によれば、観察像及び撮影像の明瞭かつ選択的な提示を簡易な構成で実現することが可能である。
【００９９】
上記の実施形態は、本発明を実施するための例示に過ぎない。本発明を実施しようとする者は、本発明の要旨の範囲内において任意の変形、省略、追加、置換等を施すことが可能である。
【符号の説明】
【０１００】
１  眼科用顕微鏡
１０Ｌ、１０Ｒ  照明系
２０Ｌ、２０Ｒ  受光系
２３Ｌ、２３Ｒ  撮像素子
３０Ｌ、３０Ｒ  接眼系
３１Ｌ、３１Ｒ  表示部
３２Ｌ、３２Ｒ  接眼レンズ
１００  制御部
２２０  画像処理部
【図１】
0006505527.tif 000002
【図２】
0006505527.tif 000003
【図３】
0006505527.tif 000004
【図４】
0006505527.tif 000005
【図５】
0006505527.tif 000006
【図６】
0006505527.tif 000007